(57)【要約】【課題】  地震の振動によって引き出しが開くことがなく、既存の整理タンスの構造を大幅に変えることなく実現できるロック機能付タンスを提供する。【解決手段】  本体の収納部の左右側板に第一ガイドレールを固定し、引き出しの左右側板に第二ガイドレールを固定し、ガイドローラを介して両ガイドレールが前後方向に摺動し得るように構成し、収納部の左右側板にプッシュオープン式挟持装置を固定し、引き出しの前面板後面に挟持部材に挟持される突出部を固定し、引き出し収納時は突出部が挟持部材に挟持されて引き出しがロックされるように構成し、収納位置から引き出しを若干押圧することにより、弾性体の付勢力によって挟持部材が前方の開放位置に移動することで、挟持部材による突出部の挟持状態が解除されるように構成し、弾性体による挟持部材の前方への移動に伴って引き出しが収納位置から前方に押し出されるように構成する。【選択図】  図１
2013013429.tif 000002
【特許請求の範囲】
【請求項１】
本体に対して収脱可能な引き出しを有するロック機能付タンスにおいて、
上記本体の収納部の左右側板に第一ガイドレールを各々固定し、
上記収納部に収納される引き出しの左右側板に上記第一ガイドレールに係合して上記第一ガイドレールに対して前後方向に摺動可能な第二ガイドレールを各々固定すると共に、ガイドローラを介して上記両ガイドレールが前後方向に円滑摺動し得るように構成し、
弾性体により常時前方に付勢され、前方の開放位置と後方の閉鎖位置との間を前後方向に交互に移動可能な挟持部材を有するプッシュオープン式の挟持装置を設け、
上記両第一ガイドレールの前端部に隣接して、上記収納部の左右側板に上記挟持装置を各々固定すると共に、
上記引き出しの前面板後面の左右２箇所に上記引き出し収納時に上記挟持部材に挟持される突出部を各々固定し、
上記引き出し収納時は上記各突出部が各々上記閉鎖位置の上記挟持部材に挟持されることにより上記引き出しが収納位置にロックされるように構成し、
上記収納位置から上記引き出しを後方に若干押圧することにより、上記弾性体の付勢力によって上記挟持部材が上記前方の開放位置に移動することで、上記挟持部材による上記突出部の挟持状態が解除されるように構成し、
上記弾性体による上記挟持部材の前方への移動に伴って上記引き出しが上記収納位置から前方に若干押し出されるように構成したものであることを特徴とするロック機能付タンス。
【請求項２】
上記第一ガイドレールに上記引き出しの移動方向に直交する第一回転軸を設け、上記第二ガイドレールの摺動に伴って上記第二ガイドレールに摺接するガイドローラを上記第一回転軸に軸支すると共に、
上記第二ガイドレールに上記引き出しの移動方向に直交する第二回転軸を設け、上記第二ガイドレールの摺動に伴って上記第一ガイドレールに摺接するガイドローラを上記第二回転軸に軸支したものであることを特徴とする請求項１記載のロック機能付タンス。
【請求項３】
上記引き出しの前面板は上記引き出しのロック状態において上記本体の前面と面一となるように構成したものである請求項１又は２記載のロック機能付タンス。
【請求項４】
上記収納部及び上記引き出しを上下方向に複数段設けたものである請求項１〜３の何れかに記載のロック機能付タンス。
【発明の詳細な説明】
【技術分野】
【０００１】
本発明は、地震等の揺れが生じても引き出しが容易に開くことがなく、しかもワンタッチで開閉することができるロック機能付タンスに関するものである。
【背景技術】
【０００２】
従来、洋服の整理タンス等は、収納部側の側板と引き出し側の側板に各々ガイドレールを設け、両ガイドレールに沿って引き出しを摺動させることで、引き出しの引き出し動作、収納動作を行うことができるように構成されている。
【０００３】
また、引き出しの後面と上記収納部の奥部の板との間に挟持爪を有する挟持装置を設け、上記引き出しを収納したときに引き出し後面の突起を上記挟持爪で挟持することにより上記引き出しを収納位置にロックするプッシュオープン式の物入れが提案されている（特許文献１）。
【０００４】
また、引き出し等に使用するガイドレールの後端部にプッシュスイッチを上記ガイドレールと一体に設けたプッシュスイッチ一体型ガイドレールが提案されている（特許文献２）。
【先行技術文献】
【特許文献】
【０００５】
【特許文献１】実開昭６３−７１７４１号
【特許文献２】特開２００８−１１９１７７号
【発明の概要】
【発明が解決しようとする課題】
【０００６】
ところで、特許文献１の物入れでは、引き出しのロックは可能であるが、引き出しの背面に挟持装置を設ける大きなスペースが必要であり、この部分を物入れとして利用できないので、家具としての空間利用効率が悪いという課題がある。
【０００７】
また特許文献２のガイドレールをタンス等のガイドレールとして用いることも考えられるが、このガイドレールは一方のガイドレールに挟持装置、他方のガイドレールに係合ピンが一体化された非常に複雑な構造を有している。よって、このような構造のガイドレールをタンスの引き出しとして使用する場合は、上記ガイドレールを引き出しの左右に１組ずつ使用する必要があり、量産可能な多段の整理タンス等の量産家具として用いるにはコスト高となるため、より低価格で実現できる構造が望まれている。
【０００８】
本発明は上記従来の課題を解決するために、地震等の振動によって引き出しが開くことがなく、しかも既存の部品を利用することにより、既存の整理タンス等の構造を大幅に変えることなく、かつ、空間利用効率を落とすことなく実現することができるロック機能付タンスを提供することを目的とする。
【課題を解決するための手段】
【０００９】
上記の目的を達成するため本発明は、
第１に、本体に対して収脱可能な引き出しを有するロック機能付タンスにおいて、上記本体の収納部の左右側板に第一ガイドレールを各々固定し、上記収納部に収納される引き出しの左右側板に上記第一ガイドレールに係合して上記第一ガイドレールに対して前後方向に摺動可能な第二ガイドレールを各々固定すると共に、ガイドローラを介して上記両ガイドレールが前後方向に円滑摺動し得るように構成し、弾性体により常時前方に付勢され、前方の開放位置と後方の閉鎖位置との間を前後方向に交互に移動可能な挟持部材を有するプッシュオープン式の挟持装置を設け、上記両第一ガイドレールの前端部に隣接して、上記収納部の左右側板に上記挟持装置を各々固定すると共に、上記引き出しの前面板後面の左右２箇所に上記引き出し収納時に上記挟持部材に挟持される突出部を各々固定し、上記引き出し収納時は上記各突出部が各々上記閉鎖位置の上記挟持部材に挟持されることにより上記引き出しが収納位置にロックされるように構成し、上記収納位置から上記引き出しを後方に若干押圧することにより、上記弾性体の付勢力によって上記挟持部材が上記前方の開放位置に移動することで、上記挟持部材による上記突出部の挟持状態が解除されるように構成し、上記弾性体による上記挟持部材の前方への移動に伴って上記引き出しが上記収納位置から前方に若干押し出されるように構成したものであることを特徴とするロック機能付タンスにより構成される。
【００１０】
上記弾性体は例えばスプリング（１２）により構成することができる。上記挟持部材は例えば一対の挟持爪（１３，１３）により構成することができる。このように構成すると、本体の収納部の左右側板と引き出しの左右側板との間の左右の空間部分（Ｓ）に、ロック機能を含めたプッシュオープン式の挟持装置としての構成部材、即ち、第一ガイドレール、第二ガイドレール、挟持装置、突出部を全て配置することができるため、従来のタンスとしての構造を大幅に変更することなく、かつ空間利用効率を落とすことなくロック機構付タンスを低コストで構成することができる。
【００１１】
第２に、上記第一ガイドレールに上記引き出しの移動方向に直交する第一回転軸を設け、上記第二ガイドレールの摺動に伴って上記第二ガイドレールに摺接するガイドローラを上記第一回転軸に軸支すると共に、上記第二ガイドレールに上記引き出しの移動方向に直交する第二回転軸を設け、上記第二ガイドレールの摺動に伴って上記第一ガイドレールに摺接するガイドローラを上記第二回転軸に軸支したものであることを特徴とする上記第１記載のロック機能付タンスにより構成される。
【００１２】
上記第一回転軸は例えば回転軸（ａ）により構成することができる。上記第二回転軸は例えば回転軸（ｂ）により構成することができる。このように構成すると、ガイドローラ（６ａ，８ａ）によって本体に対して極めて円滑に引き出しを摺動させることができるため、挟持装置に用いられる弾性体だけでも充分にプッシュオープン式の引き出しを構成することができ、別途に弾性体を設ける必要がない。
【００１３】
第３に、上記引き出しの前面板は上記引き出しのロック状態において上記本体の前面と面一となるように構成したものである上記第１又は２記載のロック機能付タンスにより構成される。
【００１４】
このように構成すると、引き出しの前面板が本体の前面と面一となり、全体として高いデザイン性を実現することができる。
【００１５】
第４に、上記収納部及び上記引き出しを上下方向に複数段設けたものである上記第１〜３の何れかに記載のロック機能付タンスにより構成される。
【００１６】
このように構成すると、いわゆる衣類等の整理ダンスとしてロック機能のついたタンスを低価格で実現することができる。
【発明の効果】
【００１７】
上述のように本発明によれば、本体の収納部の左右側板と引き出しの左右側板との空間部分に、ロック機能を含めたプッシュオープン式の挟持装置としての構成部材、即ち、第一ガイドレール、第二ガイドレール、挟持装置、突出部を配置することができるため、従来のタンスとしての構造を大幅に変更することなく、かつ空間利用効率を落とすことなくロック機構付タンスを低コストで実現することができる。
【００１８】
また、ガイドローラ及び第一及び第二ガイドレールによって本体に対して極めて円滑に引き出しを摺動させることができるため、挟持装置に用いられる弾性体だけでも充分にプッシュオープン式の引き出しを構成することができ、別途に弾性体を設ける必要がない。
【００１９】
また、引き出しの収納時に、引き出しの前面板が本体の前面と面一となるため、デザイン性の高いロック機能付タンスを実現することができる。
【００２０】
また、例えば衣類等の整理ダンス等としてロック機能のついたタンスを低価格で実現することができる。
【図面の簡単な説明】
【００２１】
【図１】本発明に係るロック機能付タンスの一部切欠斜視図である。
【図２】同上タンスの一部断面正面図（図３のＹ−Ｙ線断面図）である。
【図３】引き出しの収脱の状態を説明するための同上タンスの側面図である。
【図４】同上タンスの上面板を取り去った状態の平面図である。
【図５】同上タンスの引き出しと収納部との関係を示す斜視図である。
【図６】引き出しの収脱の状態を説明するための同上タンスの引き出し近傍の側面図であり、（ａ）は引き出しを収納部から取り外した状態、（ｂ）は引き出しを収納部に途中まで収納した状態、（ｃ）は引き出しの突出部が当接部に接触した収納直前の状態、（ｄ）は引き出しを完全に収納した状態を示す図である。
【図７】同上タンスのガイドレールの係合関係を示す上記ガイドレール近傍の拡大正面図である。
【図８】同上タンスの挟持装置の側面断面図であり、（ａ）は開放位置、（ｂ）は閉鎖位置を示す。
【発明を実施するための形態】
【００２２】
以下、本発明に係るロック機能付タンスを詳細に説明する。
【００２３】
タンスの本体２に対して収脱可能な複数の引き出し３を有するロック機能付タンス１において、上記本体２の複数の収納部４の左右側板５ａ，５ｂに前後方向に左右対称構造の第一ガイドレール６，６を各々固定する。また、上記収納部４に収納される引き出し３の左右側板７ａ，７ｂ下端縁に上記両第一ガイドレール６，６に各々係合し、上記第一ガイドレール６，６に対して前後方向に摺動可能な左右対称構造の第二ガイドレール８，８を固定する。そして、上記第一ガイドレール６，６のガイドローラ６ａ，６ａ、上記第二ガイドレール８，８のガイドローラ８ａ，８ａは互いに相手のガイドレール６，８に係合することで、上記両ガイドレール６，８が前後方向に極めて円滑に摺動し得るように構成されている。
【００２４】
上記収納部４は、図１に示すように、複数の仕切板９によって上下方向に仕切られており、上記第一ガイドレール６，６は上記仕切板９の左右両端上面に沿うように、上記左右側板５ａ，５ｂに固定されている。
【００２５】
上記第一ガイドレール６は、図５、図６、図７に示すように、左右側板５ａ，５ｂに前後方向に固定された細長い方形杆であるスペーサ板１０の内面１０ａ（対向面）に、その垂直板６ｂがビス等（図示せず）にて固定されており、垂直板６ｂの上部及び下部には略直角に対向方向に折り曲げられた水平レール部６ｃ，６ｄが略全長に亘り形成されている。
【００２６】
この第一ガイドレール６は上記左右側板５ａ，５ｂの前端から略後端に至る長さを有しており、その前端部に単一のガイドローラ６ａが上記引き出しの摺動方向と直交し上記垂直板６ｂに軸支された回転軸（第一回転軸）ａを以って回転自在に設けられている。これらの第一ガイドレール６，６は、上記左右側板５ａ，５ｂに対向して同一水準位置に設けられており、上記ガイドローラ６ａ，６ａも左右方向に互いに対向する位置に設けられている。
【００２７】
上記第二ガイドレール８は、上記引き出し３の左右側板７ａ，７ｂの下端コーナ部に設けられており、その垂直板８ｂが上記左右側板７ａ，７ｂにビス等（図示せず）により固定されている。上記垂直板８ｂの上縁には上記第一ガイドレール６側に直角に折り曲げられた水平レール部８ｃが略全長に亘り形成されており、上記垂直板８ｂの下縁には反対方向に折り曲げられた取付片８ｄが略全長に亘り設けられており、上記取付片８ｄは上記引き出しの下面３ａに接合され、上記下面３ａにビス等（図示せず）により固定されている。
【００２８】
この第二ガイドレール８はその後端に単一のガイドローラ８ａが上記引き出しの摺動方向と直交し上記垂直板８ｂに軸支された回転軸（第二回転軸）ｂを以って回転自在に設けられている。
【００２９】
そして、図７に示すように、上記引き出し３を上記収納部４に収納すると、上記第二ガイドレール８の水平レール部８ｃと上記ガイドローラ８ａが上記第一ガイドレール６の上下の水平レール部６ｃ，６ｄ間に嵌合した状態となり、上記引き出し３の荷重により上記ガイドローラ８ａの下部が上記第一ガイドレール６の下側の水平レール部６ｄ上に接触し、上記ガイドローラ６ａの上部が上記第二ガイドレール８の上記水平レール部８ｃに接触した状態となるので、上記引き出し３の前後方向の動きに対応して上記ガイドローラ８ａ，６ａが各々上記水平レール部６ｄ，８ｃに沿って摺接し回動することにより、上記引き出し３を極めて円滑に前後方向に摺動することができるように構成されている。
【００３０】
上記各収納部４の上記左右側板５ａ，５ｂにおける第一ガイドレール６，６の前端の上部には、引き出しロック用の挟持装置１１，１１が各々設けられている。
【００３１】
この挟持装置１１，１１は、図８に示すように、内部のスプリング（弾性体）１２により常時前方に付勢され、同図（ａ）に示す前方の開放位置と、同図（ｂ）に示す後方の閉鎖位置との間を前後方向に交互に移動可能な挟持爪１３，１３を有するプッシュオープン式の挟持装置であって、上記収納部４の上記両第一ガイドレール６，６の前端部の上方位置に、上記ガイドレール６，６の前端部に隣接して、上記収納部４の左右側板５ａ，５ｂに各々固定されている。
【００３２】
この挟持装置１１は、前方開口部１１ａから上記挟持爪１３，１３が突出した開放位置（図８（ａ）参照）と、上記前方開口部１１ａ内に上記挟持爪１３，１３が収納された閉鎖位置（図８（ｂ）参照）とをとり得るものであって、図８に示すように、その内部に略ハート型のカム溝１５ａを有する前後方向に摺動可能な摺動部材１５を有しており、この摺動部材１５の前方には、当該摺動部材１５と一体に前後方向に摺動可能な挟持爪１３，１３及び当接部１８が設けられている。また、上記摺動部材１５のカム溝１５ａ内には、後端を固定されたカム部材１６の先端のピン１６ａが係合しており、さらに、上記摺動部材１５はスプリング１２によって常時前方（矢印Ｘ方向）に付勢されている。
【００３３】
上記挟持爪１３，１３は一対の回動軸１３ａ，１３ａを回動支点として互いに閉鎖方向（矢印Ａ方向）、開成方向（矢印Ｂ方向）に開閉自在（回動自在）に設けられており、当該挟持爪１３，１３は図示しないコイルスプリングによって常時開成方向（矢印Ｂ方向）に回動付勢されている。
【００３４】
また、上記挟持爪１３，１３間の中央部には当接部１８が設けられおり、さらに、上記挟持装置１１の上記挟持爪１３，１３の移動経路外側には上記挟持爪１３，１３の外側に各々当接して上記挟持爪１３，１３の開閉動作を行うための一対の回動ローラ１７，１７が上記挟持装置１１筺体に固定されている。
【００３５】
従って、上記挟持装置１１は、図８（ａ）の開放位置では上記スプリング１２の前方向の付勢力によって上記ピン１６ａが上記カム溝１５ａの後端位置Ｐ１に位置しており、当該位置において上記摺動部材１５が前方に摺動し、上記挟持爪１３，１３は上記前方開口部１１ａから開成状態で突出した状態となっている。
【００３６】
当該開放位置から上記スプリング１２の付勢力に抗して上記当接部１８を後方に押圧すると、摺動部材１５は上記挟持爪１３，１３共々後方に移動していくが、当該摺動部材１５は上記ピン１６ａがカム溝１５ａの位置Ｐ２に係合する位置Ｌ１（図８（ｂ））（引き出し３の前面板３ｂの位置Ｌ１’）まで一旦後退し、その後、摺動部材１５ａは上記スプリング１２の前方への付勢力（復帰力）によって上記ピン１６ａが上記カム溝１５ａの位置Ｐ３に位置するまで若干前方に距離Ｔだけ移動して位置Ｌ２まで復帰し、当該位置Ｌ２（図８（ｂ）の位置、引き出し３の前面板３ｂの位置Ｌ２’）である閉鎖位置にて停止する。
【００３７】
上記開放位置から上記閉鎖位置への移動の過程において上記挟持爪１３，１３の外側に上記回動ローラ１７，１７が当接することで上記挟持爪１３，１３は矢印Ａ方向に回動して行き、上記閉鎖位置においては完全に閉じた状態となる。上記挟持爪１３，１３は先端部に互いに対向する爪部１３ｂ，１３ｂを有しており、上記閉鎖位置においては、上記突出部１４の先端の係合頭部１４ａが上記挟持爪１３，１３の爪部１３ｂ，１３ｂによって確実に挟持されるように構成されている。
【００３８】
上記摺動部材１５ａの前後方向の動きに直交する上記引き出し３の前面板３ｂの左右延長部３ｂ’，３ｂ’の後面３ｂ”，３ｂ”には、上記引き出し３収納時に上記閉鎖位置の上記挟持爪１３，１３に挟持される突出部１４，１４が各々固定されている。
【００３９】
即ち、上記突出部１４，１４は、上記引き出し３を上記収納部４に収納した状態において、上記挟持装置１１の上記当接部１８と同一高さとなる位置に固定されており（図５参照）、よって上記引き出し３を上記収納部４に収納していくと、上記突出部１４の上記係合頭部１４ａが上記当接部１８に当接し得るように構成している。
【００４０】
そして、上記突出部１４が上記当接部１８に当接した状態（図６（ｃ））から、さらに引き出し３の前面板３ｂを後方に上記位置Ｌ１’（図８（ｂ）の摺動部材１５の位置Ｌ１）まで押圧すると、その過程で上記挟持爪１３，１３が上記突出部１４，１４を挟持して行き、上記ピン１６ａが上記カム溝１５ａの位置Ｐ２に位置して引き出し３の後方移動が停止すると、この時点（図８（ｂ）の上記位置Ｌ１）で上記突出部１４は上記挟持爪１３，１３に完全に挟持されたロック状態となる。
【００４１】
そして上記引き出し３の後方への移動が停止した時点（上記位置Ｌ１，Ｌ１’）で引き出し３の前面板３ｂから手を離すと、上記スプリング１２の復帰力により、上記ピン１６ａがカム溝１５ａの位置Ｐ３に位置するまで上記摺動部材１５を若干前方に押し出して図８（ｂ）の閉鎖位置に停止する（上記位置Ｌ２，Ｌ２’）。
【００４２】
この時点で、上記引き出し３は図６（ｄ）に示す収納状態となり、上記引き出し３収納時は上記各突出部１４，１４が各々上記挟持位置１１，１１の上記挟持爪１３，１３に挟持されることにより上記引き出し３が収納位置にロックされると共に、上記収納位置において上記引き出し前面板３ｂの前面が上記本体２前面２ａと面一となるように構成されている（図３参照）。
【００４３】
引き出し３の開成時は、上記収納位置から上記引き出し３の前面板３ｂを後方に上記位置Ｌ１’（上記摺動部材１５の位置Ｌ１、後方停止位置）まで若干押圧して手を離すと、上記押圧によって上記ピン１６ａが上記カム溝１５ａの上記位置Ｐ２に移動するので、手を離した後は、スプリング１２の付勢力（復帰力）によって上記ピン１６ａがカム溝１５ａの位置Ｐ１に位置するまで上記摺動部材１５が前方（矢印Ｘ方向）に移動する。即ち、上記摺動部材１５は挟持爪１３，１３及び突出部１４共々前方に移動するので、上記スプリング１２の復帰力によって上記引き出し３は前方に押し出され、上記挟持爪１３，１３は前方開口部１１ａから前方に突出して図８（ａ）の開放状態となる。
【００４４】
よって、上記引き出し３は、その突出部１４と上記挟持爪１３との係合が解除されると共に、上記スプリング１２の付勢力（復帰力）によって当接部１８を介して前方に若干押し出される。引き出し３が押し出される距離は、上記引き出し３が前方に押し出されたとき、引き出し３の下面３ａ側に指を挿入できる距離が好ましい。
【００４５】
このとき、上記引き出し３は上述のようにガイドローラ６ａ，８ａを介して第一ガイドレール６と第二ガイドレール８によって円滑に摺動可能に構成されているので、即ち、上記ガイドローラ６ａが上記水平レール部８ｃに係合し、上記ガイドローラ８ａが上記水平レール部６ｄに係合しているので、これらのガイドローラ６ａ，８ａが上記ガイドレール６，８上を円滑に回動することによって、極めて円滑に前方に押し出される。従って、その後は、引き出し３の下面３ａ側に指を入れて前方に引き出すことができるように構成されている。
【００４６】
即ち、上記挟持爪１３，１３による上記突出部１４，１４の挟持が開放されてロック解除され、上記スプリング１２の付勢力（復帰力）によって上記挟持爪１３，１３が上記前方の開放位置に移動するように構成し、上記挟持爪１３，１３の前方への移動によって上記引き出し３が上記収納位置から前方に若干押し出される。
【００４７】
本発明は上述のように構成されているので、引き出し３を収納するときは、第一ガイドレール６と上記第二ガイドレール８を嵌合させた状態で、上記引き出し３の前面板３ｂを後方に押して行き、上記スプリング１２の付勢力に抗して当該引き出し３の前面板３ｂが位置Ｌ１’に位置する後方停止位置まで押した後、前面板３ｂから手を離せば良い。
【００４８】
すると、上記後方への移動の過程で上記突出部１４が上記挟持装置１１の当接部１８に当接して上記摺動部材１５を後方に押していくので、その過程で上記突出部１４が上記挟持爪１３，１３に挟持され、上記後方停止位置Ｌ１（位置Ｌ１’）にてピン１６ａが上記位置Ｐ２に位置するので、上記手を離した時点で、上記スプリング１２の復帰力によって上記引き出し３は若干押し戻され、上記ピン１６ａが上記位置Ｐ３に位置した時点で引き出し３の前方移動が停止する。
【００４９】
この時点では、上記引き出し３は上記挟持装置１１によってロックされ、上記引き出し３の前面板３ｂは上記本体２の前面２ａと面一状態となる。
【００５０】
このように上記引き出し３は上記収納部４に収納した時点で上記挟持装置１１によってロックされた状態となるので、地震等の振動が生じても当該引き出し３が前方に引き出されることはない。
【００５１】
上記引き出し３の収納状態から引き出し３を開けるには、上記引き出し３の前面板３ｂを上記位置Ｌ１’（後方停止位置）まで押圧し、前面板３ｂから手を離せば良い。
【００５２】
すると、図８（ｂ）の閉鎖位置から、上記突出部１４、当接部１８を介して上記摺動部材１５が位置Ｌ１まで押されるので、ピン１６ａがカム溝１５ａの位置Ｐ２に移動する。よって、上記手を離した後は、上記スプリング１２の復帰力によって上記摺動部材１５が上記挟持爪１３，１３共々前方（矢印Ｘ方向）に押し出されるので、上記突出部１４が上記当接部１８によって矢印Ｘ方向に押し出され、これによって上記引き出し３は前方に若干押し出される。このとき、上記引き出し３は上記第一ガイドレール６及び第二ガイドレール８に係合する上記ガイドローラ６ａ，８ａによって極めて円滑に押し出される。その後は、上記引き出し３の下面３ａ側に指を入れて引き出し３を前方に引き出せばよい。
【００５３】
本発明は以上のように、引き出し３が収納部４にロックされるので、地震等の振動が発生しても引き出し３は上記収納部４から引き出されることはなく、地震等の災害時において安全なタンスを実現することができる。
【００５４】
また、本体２の収納部４の左右側板５ａ，５ｂと引き出し３の左右側板７ａ，７ｂとの間の左右の空間部分Ｓ（図２、図７参照）に、ロック機能を含めたプッシュオープン式の挟持装置としての構成部材、即ち、第一ガイドレール６、第二ガイドレール８、挟持装置１１、突出部１４を配置することができるため、従来のタンスとしての構造を大幅に変更することなく、かつ空間利用効率を落とすことなくロック機構付タンスを低コストで実現することができる。
【００５５】
また、ガイドローラ６ａ，８ａ及び第一及び第二ガイドレール６，８によって本体２に対して極めて円滑に引き出し３を摺動することができるため、挟持装置１１に用いられる比較的小さなスプリング１２だけでも充分にプッシュオープン式の引き出しを構成することができ、別途に弾性体を設ける必要がない。
【００５６】
また、引き出し３の収納時に、引き出し３の前面板３ｂが本体２の前面２ａと面一となるため、デザイン性の高いロック機能付タンスを実現することができる。
【００５７】
また、いわゆる衣類等の整理ダンスとしてロック機能のついたタンスを低価格で実現することができる。
【００５８】
また、プッシュオープン式のロック機能を既存の部品（ガイドレール、挟持装置等）を用いて構成することができるので、ロック機能付タンスを低価格で実現することができる。
【産業上の利用可能性】
【００５９】
本発明のロック機能付タンスは、地震等の振動が発生しても引き出しが飛び出すことなく安全であるため、一般家庭等のみならず、震災地の仮設住宅用等に好適であり、広く利用することができる。
【符号の説明】
【００６０】
２          本体
２ａ        前面
３          引き出し
３ｂ        前面板
３ｂ”      後面
４          収納部
５ａ，５ｂ  左右側板（本体）
６          第一ガイドレール
６ａ        ガイドローラ
７ａ，７ｂ  左右側板（引き出し）
８          第二ガイドレール
８ａ        ガイドローラ
１１        挟持装置
１２        スプリング
１３        挟持爪
１４        突出部
ａ          回転軸（第一回転軸）
ｂ          回転軸（第二回転軸）
【図１】
2013013429.tif 000003
【図２】
2013013429.tif 000004
【図３】
2013013429.tif 000005
【図４】
2013013429.tif 000006
【図５】
2013013429.tif 000007
【図６】
2013013429.tif 000008
【図７】
2013013429.tif 000009
【図８】
2013013429.tif 000010